(57)【要約】【課題】安全な空気調和機を提供することを目的とする。【解決手段】室内ユニット（図示せず）と室外ユニット（図示せず）を接続配管（図示せず）及び接続電線（図示せず）により連結して構成される分離型の空気調和機において、制御基板６等の電装部品を収納する電装品箱１を不燃材で構成し、前記制御基板６を難燃樹脂板からなる取付板２４で固定するようにしたもので、接続電線を接続する部分でのトラッキングによる火炎や、制御基板６の搭載部品劣化による発熱発火、小動物進入による発熱発火等、一定の電力が発生し燃焼・発火が発生する可能性がある部位全体が不燃材で覆われるので、ＵＬ規格９４Ｖ−０の難燃性合成樹脂の燃焼・発火による類焼を防止できる。【選択図】図１
2010261605.tif 000002
【特許請求の範囲】
【請求項１】
室内ユニットと室外ユニットを接続配管及び接続電線により連結して構成される分離型の空気調和機において、制御基板等の電装部品を収納する電装品箱を不燃材で構成し、前記制御基板を難燃樹脂板で固定するようにした空気調和機。
【請求項２】
難燃樹脂板に、室内ユニットに電源を供給する電源コードと接続電線を通す経路をそれぞれ設けた請求項１に記載の空気調和機。
【発明の詳細な説明】
【技術分野】
【０００１】
本発明は、空気調和機に関するもので、特に、空気調和機の室内機に用いられる電装品箱に関するものである。
【背景技術】
【０００２】
従来の空気調和機では、ＵＬ規格９４Ｖ−０程度の燃性合成樹脂で構成された電装品箱に制御基板を収納し、接続電線用端子台も樹脂によるつめ構造で保持している（例えば、特許文献１参照）。
【０００３】
また近年は、ＵＬ規格９４−５ＶＡ材を電装品箱に採用しているものもある（例えば、特許文献２参照）。
【０００４】
図４は、上記特許文献１に記載された従来の空気調和機の電装品箱を示すものである。
【０００５】
図４に示すように、従来の空気調和機の電装品箱１は、熱交換器３およびドレンパン４に隣接する場所に設けられ、台枠２と前面枠５とで覆われている。その上部には、制御基板６と、制御基板６を覆う板金材料からなる基板カバー７が設けられる。その中央部には端子台８が設けられ、端子台８は、リード線９により制御基板６などと接続される。その下部には、接続電線１０をガイドしてその通路を形成するトンネル部１４が設けられている。
【０００６】
この端子台８には、空気調和機の設置現場で、室外ユニット（図示せず）から引き回される接続電線１０が接続される。端子台８の下方には、接続電線１０を固定する電線押さえ樹脂１１と電線固定ネジ１２とが設けられている。また、前面枠５には、前記の端子台８と電線押さえ樹脂１１の位置に対向して開口部１６が形成され、開口部１６には、扉１７が、開口部１６を閉塞して設けられている。前記扉１７の裏面に形成されたリブ（図示せず）に沿って板金材料等の不燃材料からなる電装カバー２６が挿入されている。
【先行技術文献】
【特許文献】
【０００７】
【特許文献１】特開２００８−２３２５５４号公報
【特許文献２】特開平１０−０７８２４２号公報
【発明の概要】
【発明が解決しようとする課題】
【０００８】
しかしながら、上記特許文献１に記載された従来の空気調和機の構成では、制御基板６の火炎に対応するに当り、ＵＬ規格９４Ｖ−０程度の難燃性合成樹脂で構造体を形成し、高電力を発生する部位のみ鉄板等の不燃材で覆っていた。この為、制御基板６の裏面への小動物の侵入や、長期使用における部品劣化等予期せぬ異常時における発火・発煙には十分対応できない課題を有していた。
【０００９】
本発明は、このような従来の課題を解決するものであり、電装品箱を不燃材で構成する事により安全な空気調和機を提供することを目的とする。
【課題を解決するための手段】
【００１０】
前記従来の課題を解決するために、本発明の空気調和機は、室内ユニットと室外ユニットを接続配管及び接続電線により連結して構成される分離型の空気調和機において、制御
基板等の電装部品を収納する電装品箱を不燃材で構成し、前記制御基板を難燃樹脂板で固定するようにしたもので、接続電線を接続する部分でのトラッキングによる火炎や、制御基板搭載部品劣化による発熱発火、小動物進入による発熱発火等、一定の電力が発生し燃
焼・発火が発生する可能性がある部位全体が不燃材で覆われているので、ＵＬ規格９４Ｖ−０の難燃性合成樹脂の燃焼・発火による類焼を防止できる。
【発明の効果】
【００１１】
本発明の空気調和機は、電装部品を収納する電装品箱を不燃材で構成することで、制御基板を固定するＵＬ規格９４Ｖ−０の難燃性樹脂が燃焼した場合も、外装を覆う不燃材で、延焼防止や類焼火炎を防止することができる安全な空気調和機が構成できる。
【図面の簡単な説明】
【００１２】
【図１】本発明の第１の実施の形態における空気調和機の室内ユニットの部分分解斜視図
【図２】同室内ユニットの据付工事状態の内部構造図
【図３】本発明の実施の形態２における空気調和機の電装品箱の分解斜視図
【図４】従来の空気調和機の電装品箱を示す図
【発明を実施するための形態】
【００１３】
第１の発明は、室内ユニットと室外ユニットを接続配管及び接続電線により連結して構成される分離型の空気調和機において、制御基板等の電装部品を収納する電装品箱を不燃材で構成し、前記制御基板を難燃樹脂板で固定するようにしたもので、接続電線を接続する部分でのトラッキングによる火炎や、制御基板搭載部品劣化による発熱発火、小動物進入による発熱発火等、一定の電力が発生し燃焼・発火が発生する可能性がある部位全体が不燃材で覆われているので、ＵＬ規格９４Ｖ−０の難燃性合成樹脂の燃焼・発火による類焼を防止できる。
【００１４】
第２の発明は、特に、第１の発明の難燃樹脂板に、室内ユニットに電源を供給する電源コードと接続電線を通す経路をそれぞれ設けたもので、接続電線を通す部分をトンネル形状にする必要が無くなり、複雑な形状の金型を必要としない安価な空気調和機を提供することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における空気調和機の室内ユニットの部分分解斜視図、図２は、同室内ユニットの前面枠５のパネル及び扉１７を開けた据付工事状態の内部構造図である。
【００１７】
図１、２において、本実施の形態における空気調和機は、室内ユニット４０と、接続配管（図示せず）及び後述の接続電線１０を介して、室内ユニット４０と接続される室外ユニット（図示せず）から構成され、室内ユニット４０に内設され、制御基板６等の電装部品を収納する電装品箱１は、熱交換器３に隣接する場所に設けられ、台枠２と前面枠５とで覆われている。電装品箱１は、不燃材である板金で箱形状を呈した電装箱２９で構成され、制御基板６は、電装箱２９内部に納められた難燃樹脂板で形成された取付板２４の弾性形状のツメ（図示せず）で固定されている。
【００１８】
制御基板６の部品装着面側を覆う板金材料からなる基板カバー７が設けられる。電装箱
２９には、端子台８が設けられ、端子台８には、リード線（図示せず）により制御基板６などと接続される。この端子台８には、空気調和機の設置現場で、室外ユニットから引き回される接続電線１０が接続される。端子台８の下方には、接続電線１０を固定する電線押さえ樹脂１１と、電線固定ネジ１２とが設けられ、端子台８と電線押さえ樹脂１１の位置に対向して開口部１６が形成され、開口部１６には、扉１７が、開口部１６を閉塞して設けられている。扉１７には、板金材料の不燃材料からなる電装カバー１８が設けられている。
【００１９】
以上のように構成された本実施の形態における空気調和機の電装品箱について、以下その動作、作用を説明する。
まず、電装部品（図示せず）を収納する電装箱２９を不燃材の鉄板で構成し、基板カバー７及び扉１７に取り付けられた電装カバー１８の不燃材で覆った構造とすることにより、端子台８のトラッキングによる発火や、制御基板６に搭載の電子部品劣化による発熱発火、小動物進入による発熱発火等、一定の電力が発生し発火が発生する可能性がある近傍の難燃性樹脂の延焼危険域内全体が不燃材の鉄板で覆われているので、発火が発生しても類焼・延焼を防止できる。
【００２０】
以上のように、本実施の形態によれば、電装品箱１の電装箱２９を不燃材の鉄板で構成することで、樹脂の延焼危険域内全体が不燃材の鉄板で覆われていることになり、高価なＵＬ規格９４−５ＶＡに適合する樹脂を採用することなく、電装部品からの発火の防止及び、延焼防止や類焼火炎が防止ができる安全な空気調和機が構成できる。
【００２１】
（実施の形態２）
図３は、本発明の第２の実施の形態における空気調和機の電装品箱の分解斜視図である。尚、上記第１の実施の形態における空気調和機と同一部品には、同一符号を付してその説明を省略する。
【００２２】
図３において、本実施の形態における電装品箱１は、電装箱２９で構成され、制御基板６は、電装箱２９内部に納められた難燃樹脂板からなる取付板２４の弾性形状のツメ（図示せず）で固定されている。また、端子台８は、電装箱２９に形成された前面側下方に傾斜する傾斜面（図示せず）に固定されている。前記取付板２４の下方側は、制御基板６よりさらに延長され側面が開放状態を呈し、仕切り壁２０にて、室内ユニット４０に電源を供給する電源コ−ド１９が通る経路としての溝２１と、接続電線１０が通る経路としての溝２２が設けられている。
【００２３】
以上のように構成された本実施の形態における空気調和機の電装品箱について、以下その動作、作用を説明する。
【００２４】
まず、電装品箱１を組み立て時、電源コ−ド１９は、溝２１に沿って電装箱２９の内部に引き込まれ、止め具２３で固定され、端子台８及び制御基板６に接続される。据付工事で、室内ユニット４０と室外ユニットを繋ぐ接続電線１０は、溝２２に収まり端子台８に接続され、電線押さえ樹脂１１と電線固定ネジ１２とで固定される。
【００２５】
以上のように、本実施の形態においては、制御基板６を固定する取付板２４を延長し、側面が開放状態形状部に壁を設け、電源コ−ド１９と室内ユニット４０と室外ユニットを繋ぐ接続電線１０の経路を構築しているので、トンネル形状に接続電線１０を通す構造が必要でなく、複雑な形状の金型を必要としない安価な電装品箱１を構成することができる。
【産業上の利用可能性】
【００２６】
以上のように、本発明にかかる空気調和機は、電装品箱を不燃材で構成する為、制御基板搭載部品や、制御基板取付樹脂が燃焼した場合の火炎の到達部位全てを不燃材で覆う事となり、高価なＵＬ規格９４−５ＶＡに適合する高度難燃性を使用する必要がない。又、金型形状も簡素化でき安価で製品寿命経過後も火災が発生することがないもので、各種空気調和機に適用できる。
【符号の説明】
【００２７】
１  電装品箱
６  制御基板
７  基板カバ−
８  端子台
１０  接続電線
２１、２２  溝（経路）
２４  取付板（難燃樹脂板）
【図１】
2010261605.tif 000003
【図２】
2010261605.tif 000004
【図３】
2010261605.tif 000005
【図４】
2010261605.tif 000006